(57)【要約】【課題】扉の厚みを薄くして自閉装置全体のコンパクト化が図れ、しかも安定して閉じ動作させることができる引戸自閉装置を提供する。【解決手段】引戸を自動的に閉位置に復帰させる付勢機構を備えた引戸自閉装置において、上記付勢機構が、引戸１ｂに内蔵されて伸縮するガスダンパ１２と、そのガスダンパ１２の伸縮動作によって移動する動滑車１３，１５と、この動滑車１３，１５に掛けられ一方端が枠体２に固定され、他方端が引戸１ｂに固定されるロープ１４，１６とを有し、引戸１ａ，１ｂが開かれるときにロープ１４，１６が掛けられた動滑車１３，１５を介してガスダンパ１２を縮小させそのガスダンパ１２に引戸閉じ方向の付勢力を蓄えるように構成したことを特徴とする。【選択図】　　　　図１
2004036150.tif 000002
【特許請求の範囲】
【請求項１】
枠体に移動自在に支持されている引戸に対して常に閉じ方向の付勢力を与える付勢機構を備え、その引戸を自動的に閉位置に復帰させる引戸自閉装置において、
上記付勢機構が、上記引戸に内蔵されて伸縮動作し縮小動作時に付勢力を蓄積するガスダンパと、このガスダンパと略同一平面上に配置されガスダンパの伸縮動作に伴って移動する動滑車と、この動滑車に掛けられ一方端が上記枠体に固定され、他方端が上記引戸に固定されるロープとを有し、上記引戸が開かれるときに上記ロープが掛けられた上記動滑車がガスダンパ縮小方向に移動し、上記ガスダンパに引戸閉じ方向の付勢力を蓄えるように構成したことを特徴とする引戸自閉装置。
【請求項２】
上記ガスダンパが縦方向に配置され上記動滑車とともに上記引戸の戸尻部に配置されている請求項１記載の引戸自閉装置。
【請求項３】
上記引戸を開位置で保持し、解除信号を受けたときにその引戸の保持を解除する係止手段が備えられている請求項１または２記載の引戸自閉装置。
【請求項４】
上記動滑車が、上記ガスダンパのロッド先端部に取り付けられた第１動滑車と、この第１動滑車に掛けられたロープに接続されて移動する第２動滑車からなる複滑車で構成され、上記第２動滑車に掛けられたロープの端部が引戸の上方に配置されたプーリを介して引戸開閉方向に延び、上記他方端として上記枠体に固定されている請求項１〜３のいずれかに記載の引戸自閉装置。
【発明の詳細な説明】
【０００１】
【発明の属する技術分野】
本発明は、引戸を自動的に閉じる引戸自閉装置に関するものである。
【０００２】
【従来の技術】
従来、自閉式引戸装置として例えば実開昭５６−１３３０７０号公報に記載の「扉の自閉装置」が知られている。
【０００３】
この自閉装置は扉に定荷重ばね装置を備えている。この定荷重ばね装置とは、巻回していたロープを扉開動作につれて巻きほどくプーリと、そのプーリが回転するときに扉を閉じるエネルギを蓄えるぜんまいばねとからなり、扉を離すとぜんまいばねが巻戻されてプーリが逆回転し、ロープを巻き込んで扉を自動閉鎖するようになっている。
【０００４】
この定荷重ばね装置のプーリは、ロープを巻回する部分とぜんまいばねを巻回する部分とを同軸に設けているために軸方向長さが長くなり、結果として扉の厚みが増加する。そのため、その扉を収める自閉装置全体のサイズも大きくなるという問題がある。
【０００５】
例えばこの種の自閉装置を遮煙ドアとして使用することも検討されているが、建屋内にその遮煙ドアを設置する場合にはドアの厚みを極力薄くすることが欠かせない。このような事情から自閉装置のコンパクト化が要望されている。
【０００６】
これに対し、実開昭６３−１５２８８５号公報に記載の「引戸自閉装置」は、引戸の内部に縦方向にスプリングを配置している。スプリングの下端は扉下部に固定し、スプリングの上端にはロープを接続し、そのロープを扉の上方に配置したプーリを介して水平方向に延ばし、枠体に設けられたブラケットに固定している。
【０００７】
この引戸自閉装置では、扉を開くときにロープを通じてスプリングが伸長され、伸長されたそのスプリングに扉を閉じるエネルギが蓄えられるようになっている。この構成によれば、上記したぜんまいばねでエネルギを蓄える構成に比べ、扉の厚みを薄く設計することが可能になる。
【０００８】
【発明が解決しようとする課題】
しかしながら、上記スプリングを利用した自閉装置は、扉の厚みを薄くすることができる反面、扉が閉じるにつれて速度が増加し、扉が閉じ切るときにショックが発生する。
【０００９】
本発明は以上のような従来の自閉装置における課題を考慮してなされたものであり、扉の厚みを薄くして自閉装置全体のコンパクト化が図れ、しかも安定して閉じ動作させることができる引戸自閉装置を提供するものである。
【００１０】
【課題を解決するための手段】
本発明は、枠体から移動自在に支持されている引戸に対して常に閉じ方向の付勢力を与える付勢機構を備え、その引戸を自動的に閉位置に復帰させる引戸自閉装置において、上記付勢機構が、引戸に内蔵されて伸縮動作し縮小動作時に付勢力を蓄積するガスダンパと、このガスダンパと略同一平面上に配置されガスダンパの伸縮動作に伴って移動する動滑車と、この動滑車に掛けられ一方端が枠体に固定され、他方端が引戸に固定されるロープとを有し、引戸が開かれるときにロープが掛けられた動滑車がガスダンパ縮小方向に移動し、ガスダンパに引戸閉じ方向の付勢力を蓄えるように構成した引戸自閉装置である。
【００１１】
本発明に従えば、引戸を開くとロープの一方端が枠体に固定されていることにより、そのロープが掛けられている動滑車がガスダンパ縮小方向に移動し、動滑車の移動によってガスダンパが縮小する。ガスダンパの縮小によって引戸閉じ方向の付勢力がガスダンパに蓄積される。開いていた引戸を解放すると、蓄積された付勢力によってガスダンパが伸長し、ガスダンパの伸長によって動滑車が移動しロープが引戸内に取り込まれ、その結果、引戸が略定速で閉じ方向に移動し自動閉鎖する。また、動滑車を用いることにより、ガスダンパのストローク以上に引戸を移動させることができる。
【００１２】
本発明において、上記ガスダンパを縦方向に配置し動滑車とともに引戸の戸尻部に配置することが好ましい。このようにガスダンパと滑車を戸尻部に集合配置するとともに、その戸尻部のパネルを取り外し可能にしておけば、引戸自閉装置のメンテナンスを簡便に行なうことができる。また、戸尻部に自閉装置を配置することで戸先部には任意の形状のパッキンを取り付けることが可能になる。
【００１３】
本発明において、上記引戸を開位置で保持し、解除信号を受けたときにその引戸の保持を解除する係止手段を備えれば、解除信号を与えるだけで引戸を自動閉鎖させることができるため、この引戸を遮煙ドアとして使用することが可能になる。
【００１４】
本発明において、動滑車を、ガスダンパのロッド先端部に取り付けられた第１動滑車と、この第１動滑車に掛けられたロープに接続されて移動する第２動滑車からなる複滑車で構成し、第２動滑車に掛けられたロープの端部を引戸の上方に配置されたプーリを介して引戸開閉方向に延ばし、他方端として枠体に固定すれば、ガスダンパのロッドのストロークが短い場合であっても複滑車によってロープの巻き取り量を大きくすることができるため、引戸の移動量をより大きくすることができる。
【００１５】
【発明の実施の形態】
以下、図面に示した実施の形態に基づいて本発明を詳細に説明する。
【００１６】
図１は、本発明に係る引戸自閉装置の全体構成を示したものである。
【００１７】
同図において、１ａおよび１ｂは両開式の引戸（総称する場合は引戸１と呼ぶ）である。
【００１８】
引戸１ａおよび１ｂは、その上方に配置されている筒箱状の枠体２内に引戸開閉方向に配置されたレール３からドアハンガ４を介して吊り下げられている。なお、図中、５はドアハンガ４に設けられレール３上を転動する戸車である。
【００１９】
レール３と平行してその上方にはエンドレスベルト６が配置されており、このエンドレスベルト６は第１プーリ７と第２プーリ８とに張架されている。
【００２０】
上段側のエンドレスベルト６ａは、クランプ９ａを備えた連結部材９を介して左側引戸１ａの上端部に固定されており、下段側のエンドレスベルト６ｂはクランプ１０ａを備えた連結部材１０を介して右側引戸１ｂの上端部に固定されている。それにより、エンドレスベルト６が矢印Ａ方向に回転する場合には、引戸１ａ，１ｂがそれぞれ開動作し、エンドレスベルト６が矢印Ｂ方向に回転する場合には引戸１ａ，１ｂがそれぞれ閉動作する。
【００２１】
引戸１ｂの戸尻部１１には、後述する自閉装置を収納するためのスペースが確保されており、この戸尻部１１に取外し可能なパネル１１ａが取り付けられている。このパネル１１ａを取り外すだけで自閉装置のメンテナンスできるようになっている。
【００２２】
自閉装置は、戸尻部１１内に垂直方向に配置されたガスダンパ１２と、このガスダンパ１２のロッド１２ａの先端部に取り付けられた第１動滑車１３と、この第１動滑車１３に掛けられた第１ロープ１４に接続される第２動滑車１５と、この第２動滑車１５に掛けられた第２ロープ１６とを有し、ガスダンパ１２と第１動滑車１３と第２動滑車は、略同一平面（引戸開閉方向と平行な）上に配置されている。
【００２３】
上記第２ロープ１６はプーリ１７を介して水平方向に延ばされ、枠体２の内壁に設けられた固定部１８に接続されている。なお、プーリ１７は引戸１ｂの戸尻側上端部に固定されている。
【００２４】
上記ガスダンパ１２は従来公知のものである。その構成は、シリンダ内部を軸方向に摺動するピストン（図示しない）が設けられており、このピストンによってシリンダ内部がヘッド側及びロッド側室に仕切られ、この両室には圧縮ガス（窒素ガス）が充填されている。また、ヘッド側及びロッド側室はピストンに設けられた孔部によって連通しており、各室の面積差（ロッド側室＜ヘッド側室）によってスプリングと同様の付勢力を発生することができるようになっている。それにより、ロッド１２ａが縮小するとロッド伸長方向の付勢力が蓄積されるようになっている。
【００２５】
また、シリンダ内には適量の油が充填されており、伸長および縮小方向時の速度をその油圧により略定速に制御している。
【００２６】
ロッド１２ａの先端部に取り付けられた第１動滑車１３にＵ字状に掛けられた第１ロープ１４の一方端１４ａは、戸尻部１１内壁に固定されている帯板状のフレーム２０に固定されている。
【００２７】
詳しくは、戸尻部１１のＣ−Ｃ断面を示した図２において、フレーム２０は縦方向に配置された帯板状部材からなりその上部は内側に向けてＬ形に折り曲げられており、その折曲部２０ａに第１ロープ１４の一方端１４ａが固定されている。なお、その一方端１４ａには雄ねじ部１４ｂが固定されている。なお、第１ロープ１４の固定部はＣ−Ｃ断面には現れないため、図中、破線で示している。
【００２８】
この雄ねじ部１４ｂを折曲部２０ａに設けた貫通孔に通し、折曲部２０ａの上下両側に螺合させた一対のナット１４ｃ，１４ｄでその折曲部２０ａを挟み込んで締め付けることにより、第１ロープ１４の一方端１４ａが固定される。従って、一対のナット１４ｃ，１４ｄの締付位置を変えれば第１ロープ１４のテンションを調節することができる。
【００２９】
ガスダンパ１２の上端は、ブラケット１２ｂを介し、フレーム２０から内側に向けて突設された軸１２ｃに固定されている。
【００３０】
ガスダンパ１２のロッド１２ａの下端には、第１動滑車１３を支持するためのＬ字形の支持金具１２ｄが設けられており、この支持金具１２ｄは、垂下される第１ロープ１４の線上に第１動滑車１３を位置させるようになっている。
【００３１】
この第１動滑車１３を折り返した第１ロープ１４の他方端１４ｅは、第２動滑車１５を備えた支持金具２２に接続されている。
【００３２】
詳しくは、第１ロープ１４の他方端１４ｅに設けられた雄ねじ部１４ｆを支持金具２２の貫通孔に通し、支持金具２２を挟んでその両側からナット１４ｇ，１４ｈを締め付ることにより支持金具２２に接続している。従って、一対のナット１４ｇ，１４ｈの締付位置を変えれば第２動滑車１５の位置を調節することができる。
【００３３】
第２動滑車１５にＵ字状に掛けられた第２ロープ１６の一方端は、図１に示すように、折曲部２０ａに対し、第１ロープ１４の固定方法と同じ方法で固定されており、他方端は、引戸１ｂの上部に固定されているプーリ１７を介して水平方向に延び、固定部１８に接続されている。
【００３４】
図３は図１のＤ−Ｄ断面を示したものである。
【００３５】
同図において、左側引戸１ａの上部に設けられているドアハンガ４には取付金具２４を介してフック２５が取り付けられている。
【００３６】
このフック２５は平面から見てリング状に形成されており、左側引戸１ａが前開位置に移動したときに電磁レリーズからなる係止装置２６の係止レバー２６ａ（図１参照）がそのフック２５と係合し、引戸１ａを前開位置で保持するになっている。上記フック２５および係止装置２６は係止手段として機能する。
【００３７】
なお、引戸１ａ，１ｂの下端部および引戸１ａ，１ｂの戸先部にはそれぞれパッキン２７，２８がそれぞれ設けられるが、本実施形態では自閉装置を戸尻部に集合配置していることによって戸先部に任意の形状のパッキンを取り付けることができる。従って、機密性の高いパッキンを取り付ければ、遮煙ドアとして使用することもできる。
【００３８】
図３において、２９は引戸の開１ａ，１ｂの閉動作をガイドするためのガイドローラであり、３０はそのガイドローラ２９と接触して摺動抵抗を低下させる低摩擦板である。
【００３９】
上記構成を有する引戸自閉装置の動作について図１および図４を参照しながら説明する。なお、図４は引戸全開状態を示したものである。
【００４０】
まず、図１において、引戸全閉状態ではガスダンパ１２のピストンロッド１２ａは最大に伸長している。この状態でいずれか一方の引戸、例えば右側引戸１ｂを手動で矢印Ｂ方向に開くと、ドアハンガ１０を介してエンドレズベルト６が反時計まわりに回転し、ドアハンガ９を矢印Ａ方向に移動して左側引戸１ａが連動して開く。
【００４１】
引戸１ｂが開かれることによって第２ロープ１６に掛けられている第２動滑車１５が上昇し、第２動滑車１５の上昇によって第１ロープ１４が巻上られ、第１ロープ１４に掛けられている第１動滑車１３が上昇する。
【００４２】
第１動滑車１３の上昇によってガスダンパ１２が縮小されると、そのガスダンパ１２内に伸長方向の付勢力が蓄積される。
【００４３】
引戸１ａ，１ｂが全開となると、図４に示すように、ドアハンガ４に設けられているフック２５は、係止レバー２６ａを下向きに付勢しているばねを矢印Ｅ方向に押し上げて係止装置２６内に進入し、フック２５を乗り越えた係止レバー２６ａが元の位置に復帰すると係止レバー２６ａとフック２５が係合し、引戸１ａ，１ｂは全開状態に保持される。このとき、係止装置２６の電磁レリーズには通電されていない。
【００４４】
次に、係止装置２６の電磁レリーズに通電され係止レバー２６ａがばねに抗して矢印Ｅ方向に変位すると、係止が解除される。
【００４５】
それによりガスダンパ１２が伸長を開始する。
【００４６】
ガスダンパ１２には伸長方向に付勢力が蓄積されているが、そのシリンダ内に充填されている油によって急動作せずロッド１２ａは略定速で伸長する。
【００４７】
ロッド１２ａが伸長することによって第１動滑車１３が下降すると、第１ロープ１４の他方端に接続されている第２動滑車１５が下降する。
【００４８】
第２動滑車１５の下降によって第２ロープ１６が戸尻部１１内に巻き取られ、それによって引戸１ｂが閉じ方向に移動し、引戸１ａも引戸１ｂに連動して閉じ方向に移動する。すなわち各引戸１ａ，１ｂは自動閉鎖される。
【００４９】
なお、本実施形態ではロッドのストロークが大きくとれなくとも引戸を大きく開閉できるように、第１動滑車１３と第２動滑車１５からなる複滑車とし、各滑車毎にロープ巻き込み量をストロークの２倍確保するようにしている。
【００５０】
しかしながら、ストロークの大きいガスダンパを採用する場合には、第２動滑車１５を省略することもできる。
【００５１】
また、上記実施形態では両開き式の引戸を例に取り説明したが、もちろん片開き式の引戸にも本発明を適用することができる。
【００５２】
また、自閉装置は、上記実施形態で示したように戸尻部に収納することが、メンテナンスを行う上で有利であるが、引戸内の上部にスペースが確保できる場合にはガスダンパを横向きに配置することもできる。ただし、この場合、扉を開くときにガスダンパのロッドが縮小するように動滑車を配置する必要があり、また、必要に応じてロープの方向を変えるためのプーリを設ける必要がある。
【００５３】
本発明のガスダンパは、ロッド縮小時の付勢力を蓄積することができ、ロッド伸長時に略定速で伸長動作する任意の構成のガスダンパを含む。
【００５４】
【発明の効果】
以上説明したことから明らかなように、請求項１の本発明によれば、引戸を開くとロープの一方端が枠体に固定されていることにより、そのロープが掛けられている動滑車がガスダンパ縮小方向に移動し、動滑車の移動によってガスダンパが縮小し、引戸閉じ方向の付勢力がガスダンパに蓄積されるように構成したため、開かれた状態の引戸を解放すると、蓄積された付勢力によってガスダンパが伸長し、ガスダンパの伸長によって動滑車が移動しロープが引戸内に取り込まれ、引戸が略定速で閉じ方向に移動し、自動閉鎖する。このようにシリンダ状のガスダンパと滑車を略同一平面上で組み合わせたため、扉の厚みを薄くして自閉装置全体のコンパクト化が図れる。また、動滑車を用いることにより、ガスダンパのストローク以上に引戸を移動させることができる。
【００５５】
請求項２の本発明によれば、ガスダンパを縦方向に配置し動滑車とともに戸尻部に集合配置したため、その戸尻部のパネルを取り外し可能にしておけば、引戸自閉装置のメンテナンスを簡便に行なうことができる。また、戸尻部に自閉装置を配置することで戸先部には機密性を有するパッキン等、任意の形状のパッキンを取り付けることが可能になる。
【００５６】
請求項３の本発明によれば、上記引戸を開位置で保持し、解除信号を受けたときにその引戸の保持を解除する係止手段を備えたため、解除信号を与えるだけで引戸を自動閉鎖させることができるため、この引戸を遮煙ドアとして使用することが可能になる。
【００５７】
請求項４の本発明によれば、上記動滑車を、複滑車で構成し、ロープの巻き取りまたは巻き解きを各滑車に分担させたため、ガスダンパのストロークが短い場合であっても引戸の移動量をより大きくすることができる。
【図面の簡単な説明】
【図１】本発明に係る引戸自閉装置の正面図である。
【図２】図１のＣ−Ｃ縦断面図である。
【図３】図１のＤ−Ｄ縦断面図である。
【図４】引戸全開状態を示す図１相当図である。
【符号の説明】
１　引戸
２　枠体
３　レール
４　ドアハンガ
５　戸車
６　エンドレスベルト
７　第１プーリ
８　第２プーリ
９，１０　連結部材
１１　戸尻部
１１ａ　パネル
１２　ガスダンパ
１３　第１動滑車
１４　第１ロープ
１５　第２動滑車
１６　第２ロープ
１７　プーリ
１８　固定部
２５　フック
２６　係止装置
【図１】
2004036150.tif 000003
【図２】
2004036150.tif 000004
【図３】
2004036150.tif 000005
【図４】
2004036150.tif 000006